(57)【特許請求の範囲】
【請求項１】
第２の通信網のエリア内に第１の通信網のエリアが局所的に存在するような包含関係または隣接関係にある第１の通信網と第２の通信網に接続可能な複数のインタフェース部と、
第１の通信網の通信品質と第２の通信網の通信品質を比較し、通信品質が良好な通信網と接続する接続先選択手段と
を備えた無線端末装置において、
前記第２の通信網に接続中に前記第１の通信網に接続するインタフェース部をスリープ状態に設定し、前記第１の通信網に接続中に前記第２の通信網に接続するインタフェース部をスリープ状態に設定するスリープ制御手段と、
前記第１の通信網のエリア情報を格納するエリア情報格納手段と、
前記無線端末装置の現在位置と移動速度および移動方向から得られる前記無線端末装置の位置情報と前記第１の通信網のエリア情報を照合し、前記第２の通信網に接続中には、前記無線端末装置が前記第１の通信網のエリアに近づいていることを検知し、前記第１の通信網に接続中には、前記無線端末装置が前記第１の通信網のエリア外に近づいていることを検知する端末位置判定手段とを備え、
前記接続先選択手段は、
前記端末位置判定手段で前記第２の通信網に接続中の前記無線端末装置が前記第１の通信網のエリアに近づいていることを検知したときに、前記第１の通信網に接続する前記インタフェース部をスリープ状態からアクティブ状態にして通信品質を監視し、前記第１の通信網の通信品質が前記第２の通信網の通信品質より良い場合に、接続先を前記第２の通信網から前記第１の通信網に切り替え、
前記端末位置判定手段で前記第１の通信網に接続中の前記無線端末装置が前記第１の通信網のエリア外に近づいていることを検知したときに、前記第２の通信網に接続する前記インタフェース部をスリープ状態からアクティブ状態にして通信品質を監視し、前記第２の通信網の通信品質が前記第１の通信網の通信品質より良い場合に、接続先を前記第１の通信網から前記第２の通信網に切り替える構成である
ことを特徴とする無線端末装置。
【請求項２】
請求項１に記載の無線端末装置において、
前記エリア情報格納手段に代えて、前記第１の通信網のエリア情報を管理するネットワーク上のサーバにアクセスして前記第１の通信網のエリア情報を取得するエリア情報取得手段を備えた
ことを特徴とする無線端末装置。
【請求項３】
請求項１または請求項２に記載の無線端末装置において、
前記第１の通信網は無線ＬＡＮであり、前記第２の通信網は携帯電話網である
ことを特徴とする無線端末装置。
【請求項４】
第２の通信網のエリア内に第１の通信網のエリアが局所的に存在するような包含関係または隣接関係にある第１の通信網と第２の通信網に接続可能な複数のインタフェース部を備え、接続先選択手段で、第１の通信網の通信品質と第２の通信網の通信品質を比較し、通信品質が良好な通信網と接続する無線端末装置の接続先切替方法において、
スリープ制御手段を用いて、前記第２の通信網に接続中に前記第１の通信網に接続するインタフェース部をスリープ状態に設定し、前記第１の通信網に接続中に前記第２の通信網に接続するインタフェース部をスリープ状態に設定し、
エリア情報格納手段に前記第１の通信網のエリア情報を格納し、
端末位置判定手段を用いて、前記無線端末装置の現在位置と移動速度および移動方向から得られる前記無線端末装置の位置情報と前記第１の通信網のエリア情報を照合し、前記第２の通信網に接続中には、前記無線端末装置が前記第１の通信網のエリアに近づいていることを検知し、前記第１の通信網に接続中には、前記無線端末装置が前記第１の通信網のエリア外に近づいていることを検知し、
前記接続先選択手段は、
前記端末位置判定手段で前記第２の通信網に接続中の前記無線端末装置が前記第１の通信網のエリアに近づいていることを検知したときに、前記第１の通信網に接続する前記インタフェース部をスリープ状態からアクティブ状態にして通信品質を監視し、前記第１の通信網の通信品質が前記第２の通信網の通信品質より良い場合に、接続先を前記第２の通信網から前記第１の通信網に切り替え、
前記端末位置判定手段で前記第１の通信網に接続中の前記無線端末装置が前記第１の通信網のエリア外に近づいていることを検知したときに、前記第２の通信網に接続する前記インタフェース部をスリープ状態からアクティブ状態にして通信品質を監視し、前記第２の通信網の通信品質が前記第１の通信網の通信品質より良い場合に、接続先を前記第１の通信網から前記第２の通信網に切り替える
ことを特徴とする無線端末装置の接続先切替方法。
【請求項５】
請求項４に記載の無線端末装置の接続先切替方法において、
前記エリア情報格納手段に代えて、前記第１の通信網のエリア情報を管理するネットワーク上のサーバにアクセスして前記第１の通信網のエリア情報を取得する
ことを特徴とする無線端末装置の接続先切替方法。
【請求項６】
請求項４または請求項５に記載の無線端末装置の接続先切替方法において、
前記第１の通信網は無線ＬＡＮであり、前記第２の通信網は携帯電話網である
ことを特徴とする無線端末装置の接続先切替方法。
【発明の詳細な説明】
【技術分野】
【０００１】
本発明は、消費電力を抑えつつ、第１の通信網と第２の通信網（例えば無線ＬＡＮと携帯電話網）との間で接続先切替を行う無線端末装置および接続先切替方法に関する。
【背景技術】
【０００２】
携帯電話網と無線ＬＡＮを比較した場合、一般的に携帯電話網はカバーエリアが広いが通信速度が遅く、無線ＬＡＮはカバーエリアが狭いが通信速度が速いという特徴がある。そこで、携帯電話網と無線ＬＡＮのそれぞれの長所を活かせる無線端末装置として、携帯電話網と無線ＬＡＮの双方に接続できる２つのインタフェース（ＩＦ）を備え、通信品質の良い方を選択して接続する装置が製品化されている。
【０００３】
ここで、携帯電話網と無線ＬＡＮの接続先切替方法として、常に両方のＩＦをアクティブにしておき、受信レベル等の通信品質を常に監視して通信品質の良い方を選択する方法がある。この方法では常に通信品質を監視しているため、通信品質の変化に合わせて素早く接続先切替（ハンドオーバ）を行うことができるが、常に両方のＩＦがアクティブになっているため消費電力が大きい。そこで消費電力を抑えるため、使用していないＩＦはスリープ状態にし、一定間隔でアクティブにして通信品質を監視をする方法がある。しかし、この方法は先の方法に比べ消費電力を抑えることはできるが、スリープ期間が長ければ接続先切替に時間を要する。
【０００４】
そこで消費電力を抑えつつ、接続先切替を素早く行う方法として特許文献１が提案されている。この方法では、無線ＬＡＮのエリア情報を携帯電話網基地局と関連付けて無線端末装置に登録しておき、無線端末装置が携帯電話網基地局に接続した際に携帯電話網エリア内に無線ＬＡＮエリアが存在する場合のみ無線ＬＡＮ基地局のサーチを行うことで消費電力を抑えることができる。しかし、一般的に携帯電話網エリアは無線ＬＡＮエリアより広いため、携帯電話網エリアのどこかに無線ＬＡＮエリアが存在すると判断したとしても、必ずしも無線端末装置が無線ＬＡＮエリア内にいるとは限らず、無線ＬＡＮ基地局をサーチしても無線ＬＡＮエリアが見つからない可能性もある。このため、無線ＬＡＮ基地局のサーチ精度が低くなり、接続先切替に時間を要することになる。
【先行技術文献】
【特許文献】
【０００５】
【特許文献１】特開２００８−３０１０５８号公報
【発明の概要】
【発明が解決しようとする課題】
【０００６】
携帯電話網と無線ＬＡＮに接続可能な２つのＩＦを備えた従来の無線端末装置は、携帯電話網エリア内にあっても無線ＬＡＮエリアを正確に把握することができないため、当該携帯電話網エリア内では常に無線ＬＡＮ基地局をサーチする必要があり、消費電力の低減効果は限定されていた。
【０００７】
本発明は、消費電力を抑えつつ、第１の通信網と第２の通信網（例えば無線ＬＡＮと携帯電話網）との間で接続先切替を素早く行うことができる無線端末装置および接続先切替方法を提供することを目的とする。
【課題を解決するための手段】
【０００８】
第１の発明は、第２の通信網のエリア内に第１の通信網のエリアが局所的に存在するような包含関係または隣接関係にある第１の通信網と第２の通信網に接続可能な複数のインタフェース部と、第１の通信網の通信品質と第２の通信網の通信品質を比較し、通信品質が良好な通信網と接続する接続先選択手段とを備えた無線端末装置において、第２の通信網に接続中に第１の通信網に接続するインタフェース部をスリープ状態に設定し、第１の通信網に接続中に第２の通信網に接続するインタフェース部をスリープ状態に設定するスリープ制御手段と、第１の通信網のエリア情報を格納するエリア情報格納手段と、無線端末装置の現在位置と移動速度および移動方向から得られる無線端末装置の位置情報と第１の通信網のエリア情報を照合し、第２の通信網に接続中には、無線端末装置が第１の通信網のエリアに近づいていることを検知し、第１の通信網に接続中には、無線端末装置が第１の通信網のエリア外に近づいていることを検知する端末位置判定手段とを備え、接続先選択手段は、端末位置判定手段で第２の通信網に接続中の無線端末装置が第１の通信網のエリアに近づいていることを検知したときに、第１の通信網に接続するインタフェース部をスリープ状態からアクティブ状態にして通信品質を監視し、第１の通信網の通信品質が第２の通信網の通信品質より良い場合に、接続先を第２の通信網から第１の通信網に切り替え、端末位置判定手段で第１の通信網に接続中の無線端末装置が第１の通信網のエリア外に近づいていることを検知したときに、第２の通信網に接続するインタフェース部をスリープ状態からアクティブ状態にして通信品質を監視し、第２の通信網の通信品質が第１の通信網の通信品質より良い場合に、接続先を第１の通信網から第２の通信網に切り替える構成である。
【００１０】
第１の発明の無線端末装置において、エリア情報格納手段に代えて、第１の通信網のエリア情報を管理するネットワーク上のサーバにアクセスして第１の通信網のエリア情報を取得するエリア情報取得手段を備えてもよい。
【００１１】
第１の発明の無線端末装置において、第１の通信網は無線ＬＡＮであり、第２の通信網は携帯電話網である。
【００１２】
第２の発明は、第２の通信網のエリア内に第１の通信網のエリアが局所的に存在するような包含関係または隣接関係にある第１の通信網と第２の通信網に接続可能な複数のインタフェース部を備え、接続先選択手段で、第１の通信網の通信品質と第２の通信網の通信品質を比較し、通信品質が良好な通信網と接続する無線端末装置の接続先切替方法において、スリープ制御手段を用いて、第２の通信網に接続中に第１の通信網に接続するインタフェース部をスリープ状態に設定し、第１の通信網に接続中に第２の通信網に接続するインタフェース部をスリープ状態に設定し、エリア情報格納手段に第１の通信網のエリア情報を格納し、端末位置判定手段を用いて、無線端末装置の現在位置と移動速度および移動方向から得られる無線端末装置の位置情報と第１の通信網のエリア情報を照合し、第２の通信網に接続中には、無線端末装置が第１の通信網のエリアに近づいていることを検知し、第１の通信網に接続中には、無線端末装置が第１の通信網のエリア外に近づいていることを検知し、接続先選択手段は、端末位置判定手段で第２の通信網に接続中の無線端末装置が第１の通信網のエリアに近づいていることを検知したときに、第１の通信網に接続するインタフェース部をスリープ状態からアクティブ状態にして通信品質を監視し、第１の通信網の通信品質が第２の通信網の通信品質より良い場合に、接続先を第２の通信網から第１の通信網に切り替え、端末位置判定手段で第１の通信網に接続中の無線端末装置が第１の通信網のエリア外に近づいていることを検知したときに、第２の通信網に接続するインタフェース部をスリープ状態からアクティブ状態にして通信品質を監視し、第２の通信網の通信品質が第１の通信網の通信品質より良い場合に、接続先を第１の通信網から第２の通信網に切り替える。
【００１４】
第２の発明の無線端末装置の接続先切替方法において、エリア情報格納手段に代えて、第１の通信網のエリア情報を管理するネットワーク上のサーバにアクセスして第１の通信網のエリア情報を取得するようにしてもよい。
【００１５】
第２の発明の無線端末装置の接続先切替方法において、第１の通信網は無線ＬＡＮであり、第２の通信網は携帯電話網である。
【発明の効果】
【００１６】
本発明は、携帯電話網に接続中の無線端末装置が無線ＬＡＮエリアに近づいたときのみ無線ＬＡＮに接続するインタフェース部をアクティブにし、携帯電話網と無線ＬＡＮの通信品質を比較して良好な方に接続することにより、消費電力を抑えつつ携帯電話網から無線ＬＡＮへの接続先切替を素早く行うことができる。
【００１７】
また、本発明は、無線ＬＡＮに接続中の無線端末装置が無線ＬＡＮエリア外に近づいたときのみ携帯電話網に接続するインタフェース部をアクティブにし、携帯電話網と無線ＬＡＮの通信品質を比較して良好な方に接続することにより、消費電力を抑えつつ無線ＬＡＮから携帯電話網への接続先切替を素早く行うことができる。
【図面の簡単な説明】
【００１８】
【図１】本発明の概要を示す図である。
【図２】本発明の接続先切替方法の実施例１の処理手順を示すフローチャートである。
【図３】本発明の接続先切替方法の実施例１の処理手順（変形例）を示すフローチャートである。
【図４】本発明の接続先切替方法の実施例１に対応する無線端末装置の構成例を示す図である。
【図５】本発明の接続先切替方法の実施例２の処理手順を示すフローチャートである。
【図６】本発明の接続先切替方法の実施例２に対応する無線端末装置の構成例を示す図である。
【発明を実施するための形態】
【実施例１】
【００１９】
図１は、本発明の概要を示す。
図１において、携帯電話網エリア内に無線ＬＡＮエリアが局所的に存在しており、無線端末装置（以下「端末」という）は、携帯電話網のみに接続できる位置Ａ、無線ＬＡＮに接続できる位置Ｂ、携帯電話網のみに接続できる位置Ｃを移動するものとする。ここで、ＡＰは無線ＬＡＮ基地局、ＢＳは携帯電話網基地局を示す。
【００２０】
図２は、本発明の接続先切替方法の実施例１の処理手順を示す。以下、図１および図２を参照して実施例１の処理手順について説明する。
【００２１】
端末は、携帯電話網と無線ＬＡＮに接続できる２つのＩＦを持ち、携帯電話網と無線ＬＡＮのいずれかを選択して接続する。また、端末は、無線ＬＡＮエリア情報を予め登録している（Ｓ１）。いま、位置Ａにいる端末は携帯電話網に接続し、無線ＬＡＮ−ＩＦはスリープ状態にあり（Ｓ２）、消費電力が非常に少ない状態である。
【００２２】
端末が位置Ａから位置Ｂへ向って移動し、無線ＬＡＮエリアに近づいていったとする。端末は、ＧＰＳで自端末の現在位置を把握し、また加速度センサにより移動方向および移動速度を把握する（Ｓ３）。端末は、ＧＰＳおよび加速度センサで把握した自端末の位置情報と、予め登録している無線ＬＡＮエリア情報とを照合し、自端末が無線ＬＡＮエリアに近づいているか否かを判定する（Ｓ４）。端末が無線ＬＡＮエリアに近づいていることを検知した場合、端末は無線ＬＡＮ−ＩＦをアクティブにして通信品質の監視を行う（Ｓ５）。そして得られた無線ＬＡＮの通信品質と、元々接続している携帯電話網の通信品質を端末内で比較し（Ｓ６）、より通信品質の良い方へ接続を行う（Ｓ７）。ここで、無線ＬＡＮの通信品質が携帯電話網よりも良好であれば、携帯電話網から無線ＬＡＮへの接続切替が行われ（Ｓ８）、携帯電話網の通信品質の方が良好であれば、そのまま携帯電話網との接続を継続し、ステップＳ３の端末の位置情報の把握に戻る。
【００２３】
これにより、常時無線ＬＡＮ−ＩＦをアクティブにして通信品質の監視を行う方法に比べ、端末が無線ＬＡＮエリアに近づいたときのみ無線ＬＡＮ−ＩＦをアクティブにすればよいため消費電力を抑えることができる。また、無線ＬＡＮエリアに入る前から無線ＬＡＮの通信品質監視を開始するため、無線ＬＡＮの通信品質が良くなったときに瞬時に携帯電話網から無線ＬＡＮに切替可能である。
【００２４】
端末は、無線ＬＡＮエリア内の位置Ｂで、携帯電話網より通信品質のよい無線ＬＡＮに接続し（Ｓ８）、定期的に携帯電話網の通信品質監視を行う（Ｓ９）。さらに、無線ＬＡＮの通信品質と携帯電話網の通信品質を端末内で比較し（Ｓ10）、より通信品質の良い網へ接続を行う（Ｓ11）。ここで、端末は、無線ＬＡＮより携帯電話網のほうが通信品質が良い位置Ｃへ移動し、無線ＬＡＮよりも携帯電話網の通信品質が良いと判定すると、接続先を携帯電話網へ切り替える（Ｓ12）。端末は、携帯電話網ＩＦに切り替えた後は無線ＬＡＮ−ＩＦをスリープ状態に設定し（Ｓ２）、消費電力を抑える。以下、ステップＳ２以降の処理を繰り返す。また、端末が無線ＬＡＮに接続している状態であれば、ステップＳ８から接続先切替の処理手順が開始される。
【００２５】
なお、端末は、無線ＬＡＮに接続中においても、無線ＬＡＮエリア情報とＧＰＳおよび加速度センサで得た自端末の位置情報を用いることにより、自端末が無線ＬＡＮエリア外に近づいているか否かを判定するようにしてもよい。この場合、端末はステップＳ９のように定期的に携帯電話網の通信品質監視を行わず、図３に示すステップＳ21〜Ｓ24のように、携帯電話網−ＩＦをスリープ状態に設定して消費電力を抑え、無線ＬＡＮエリア外に近づいたときに携帯電話網−ＩＦをアクティブにして携帯電話網の通信品質監視を行ってもよい。
【００２６】
以上の方法により、消費電力を抑えつつ携帯電話網と無線ＬＡＮの接続先切替を高速に行うことが可能となる。
【００２７】
また、無線ＬＡＮの通信品質と携帯電話網の通信品質を比較する代わりに、無線ＬＡＮの受信レベルが所定値を超えたときに携帯電話網から無線ＬＡＮに切り替え、無線ＬＡＮの受信レベルが所定値以下になったときに無線ＬＡＮから携帯電話網に切り替えを行うようにしてもよい。
【００２８】
図４は、本発明の接続先切替方法の実施例１に対応する無線端末装置の構成例を示す。
図４において、端末は、携帯電話網−ＩＦ１１および無線ＬＡＮ−ＩＦ１２を備え、通信制御部１３を介して通信品質測定部１４で携帯電話網と無線ＬＡＮの通信品質が測定され、接続先判定部１５で通品品質の良い方が選択される。また、無線ＬＡＮのエリア情報を格納する無線ＬＡＮエリア情報格納部１６を備える。端末位置把握部１７は、ＧＰＳ１８および加速度センサ１９から自端末の現在位置、移動方向、移動速度の位置情報を取得する。端末位置判定部２０は、無線ＬＡＮエリア情報格納部１６に格納されている無線ＬＡＮのエリア情報と、端末位置把握部１７で取得した自端末の位置情報に基づき、自端末が無線ＬＡＮエリアに近づいているか否か、あるいは自端末が無線ＬＡＮエリア外に近づいているか否かを判定する。
【００２９】
なお、請求項１，２，５，６に示す各部は、次のように対応する。インタフェース部は、携帯電話網−ＩＦ１１および無線ＬＡＮ−ＩＦ１２に対応する。接続先選択手段は、通信制御部１３、通信品質測定部１４および接続先判定部１５に対応する。スリープ制御手段は、通信制御部１３に対応する。エリア情報格納手段は、無線ＬＡＮエリア情報格納部１６に対応する。端末位置判定手段は、端末位置把握部１７、ＧＰＳ１８、加速度センサ１９、端末位置判定部２０に対応する。
【００３０】
ここで、端末が無線ＬＡＮエリアに近づいていることを検知した場合、無線ＬＡＮエリア近接判定部２０から通信制御部１３を介して無線ＬＡＮ−ＩＦ１２をアクティブにし、通信品質測定部１４で無線ＬＡＮの通信品質の監視を行う。そして得られた無線ＬＡＮの通信品質と、元々接続している携帯電話網の通信品質を接続先判定部１５で比較し、より通信品質の良い方へ接続を行う。これにより、無線ＬＡＮ−ＩＦ１２を常時アクティブにして通信品質の監視を行う方法に比べ、端末が無線ＬＡＮエリアに近づいたときのみ無線ＬＡＮ−ＩＦ１２をアクティブにすればよいため、消費電力を抑えることができる。
【００３１】
また、無線ＬＡＮエリアに入る前から無線ＬＡＮの通信品質監視を開始するため、無線ＬＡＮの通信品質が良くなったときに瞬時に携帯電話網−ＩＦ１１から無線ＬＡＮ−ＩＦ１２に切替可能である。
【００３２】
また、無線ＬＡＮ接続中は、定期的に携帯電話網−ＩＦ１１をアクティブにし、通信品質測定部１４で通信品質監視を行う。ここで、無線ＬＡＮより携帯電話網のほうが通信品質が良い位置Ｃへ移動すると、接続先判定部１５で無線ＬＡＮよりも携帯電話網の通信品質が良いと判定され、接続先を携帯電話網へ切り替える。携帯電話網−ＩＦ１１に切り替えた後は、無線ＬＡＮ−ＩＦ１２はスリープ状態に入り、消費電力を抑える。
【００３３】
また、端末は、無線ＬＡＮに接続中においても、無線ＬＡＮエリア情報とＧＰＳや加速度センサで得た自端末の位置情報を用いることにより、自端末が無線ＬＡＮエリア外に近づいているか否かを判定するようにしてもよい。この場合、端末は定期的に携帯電話網の通信品質監視を行わず、携帯電話網−ＩＦ１１をスリープ状態に設定して消費電力を抑えつつ、端末位置判定部２０で無線ＬＡＮエリア外に近づいたことを検知したときに、携帯電話網−ＩＦ１１をアクティブにし、携帯電話網の通信品質監視を行ってもよい。
【実施例２】
【００３４】
図５は、本発明の接続先切替方法の実施例２の処理手順を示す。
図６は、本発明の接続先切替方法の実施例２に対応する無線端末装置の構成例を示す。
以下、図１、図５および図６を参照して実施例２の処理手順および無線端末装置の構成について説明する。
【００３５】
実施例１では、無線ＬＡＮのエリア情報は予め端末内の無線ＬＡＮエリア情報格納部１６に格納されている。端末位置判定部２０は、無線ＬＡＮエリア情報格納部１６に格納されている無線ＬＡＮのエリア情報と、端末位置把握部１７で取得した自端末の位置情報に基づき、自端末が無線ＬＡＮエリアに近づいているか否か、あるいは無線ＬＡＮエリア外に近づいているか否かを判定する。
【００３６】
実施例２は、無線ＬＡＮのエリア情報を端末内ではなく、ネットワーク上のサーバに記録されており（Ｓ31）、端末は無線ＬＡＮエリア情報格納部１６に代えてサーバアクセス部２１を備える。端末は、ＧＰＳで自端末の現在位置を把握し、また加速度センサにより移動方向や移動速度を把握し（Ｓ３）、ネットワーク上のサーバにアクセスして無線ＬＡＮエリア情報を取得する（Ｓ32）。端末は、ＧＰＳや加速度センサで把握した自端末の位置情報と、ネットワークから取得した無線ＬＡＮエリア情報とを照合し、自端末が無線ＬＡＮエリアに近づいているか否かを判定する（Ｓ４）。判定後の通信品質の比較方法やＩＦの切替方法は実施例１と同じである。なお、請求項３に示すエリア情報取得手段は、サーバアクセス部２１に対応する。
【００３７】
無線ＬＡＮエリア情報はデータ量が多くなるため、実施例１では端末内に無線ＬＡＮエリア情報を記録するためのデータ領域（無線ＬＡＮエリア情報格納部１６）の確保が必要であり、また無線ＬＡＮエリア情報の書込みに時間を要する。実施例２では、無線ＬＡＮエリア情報がネットワーク上のサーバに記録されているため、端末内に無線ＬＡＮエリア情報を記録するためのデータ領域の確保は不要であり、端末のストレージ容量を削減することができる。また、無線ＬＡＮエリア情報の書込みも不要であるため、書込みの手間や時間を省くことができる。さらに、無線ＬＡＮエリア情報に変更があった場合（基地局の増設によるエリア拡大など) 、実施例１では更新された無線ＬＡＮエリア情報を端末に書き込むまでエリア情報の更新が行われないが、実施例２では無線ＬＡＮエリア情報がサーバ上でリアルタイムに情報が更新されるため、常に最新の無線ＬＡＮエリア情報を用いて判定を行うことができ、判定精度の向上が見込める。
【００３８】
さらに、端末で行った携帯電話網と無線ＬＡＮの通信品質の監視結果をサーバにフィードバックすることで、ある位置における携帯電話網と無線ＬＡＮの通信品質をサーバ上で管理し、無線ＬＡＮのエリア情報を更新することできる。これにより、複数端末による様々な位置での通信品質の監視結果をサーバに蓄積していくことで、無線ＬＡＮエリア情報の精度を自動的に向上していくことが可能である。
【００３９】
なお、サーバアクセス部２１およびステップＳ32の処理では、実施例１で無線ＬＡＮエリア情報格納部１６に格納していた無線ＬＡＮエリア情報の全てをダウンロードせず、自端末の周辺における無線ＬＡＮエリア情報をダウンロードするようにして、ダウンロードにかかる負荷を軽減するようにしてもよい。
【００４０】
また、実施例１および実施例２では、携帯電話網と無線ＬＡＮの接続先切替について説明したが、携帯電話網や無線ＬＡＮ以外のＷｉＭＡＸやＰＨＳ等の無線システムにおいても同様の方法の適用が可能である。
【符号の説明】
【００４１】
１１  携帯電話網−ＩＦ
１２  無線ＬＡＮ−ＩＦ
１３  通信制御部
１４  通信品質測定部
１５  接続先判定部
１６  無線ＬＡＮエリア情報格納部
１７  端末位置把握部
１８  ＧＰＳ
１９  加速度センサ
２０  端末位置判定部
２１  サーバアクセス部
【図１】
0005411068.tif 000002
【図２】
0005411068.tif 000003
【図３】
0005411068.tif 000004
【図４】
0005411068.tif 000005
【図５】
0005411068.tif 000006
【図６】
0005411068.tif 000007